(57)【要約】【課題】上掛け具の衛生状態を保持しつつ、敷き具に上掛け具を簡単に固定して、敷き具に対する上掛け具の位置ずれを効果的に防止できると共に、上掛け具を簡単にカバーできる、上掛け具のずれ防止兼カバー用具を提供する。【解決手段】この上掛け具のずれ防止兼カバー具は、敷き具２０と上掛け具１０の間に配置されて、上掛け具１０が敷き具２０に対してずれるのを防止すると共に、上掛け具１０をカバーして汚れを防止するもので、アッパーシーツ３０と、敷き具２０の下面又は間に挟み込まれると共に、アッパーシーツ３０の下辺部３２に着脱可能に取付けられる固定板５０とを備え、アッパーシーツ３０は、上掛け具１０の上辺部で折り返されて、同上掛け具１０の外側に被せることが可能な長さとされている。【選択図】図１
2013094332.tif 000002
【特許請求の範囲】
【請求項１】
上掛け具が敷き具に対してずれるのを防止すると共に、上掛け具をカバーして汚れを防止する、上掛け具のずれ防止兼カバー具であって、
敷き具と上掛け具の間に配置されるアッパーシーツと、  前記敷き具の下面又は間に挟み込まれると共に、このアッパーシーツの下辺部に着脱可能に取付けられる固定板とを備え、
前記アッパーシーツは、前記上掛け具の上辺部で折り返されて、前記上掛け具の外側に被せることが可能な長さとされていることを特徴とする上掛け具のずれ防止兼カバー具。
【請求項２】
前記アッパーシーツの下辺部に所定の大きさのポケットが形成されており、このポケットに固定板が着脱可能に挿入されて保持される請求項１記載の上掛け具のずれ防止兼カバー具。
【請求項３】
前記アッパーシーツの下辺部には、前記固定板が装着された帯状片が着脱手段を介して着脱可能に取付けられている請求項１記載の上掛け具のずれ防止兼カバー具。
【請求項４】
前記着脱手段は、前記アッパーシーツの下辺に沿って取付けられた第１ファスナと、前記帯状片の一側辺に沿って取付けられ、前記第１ファスナに着脱可能に係合する第２ファスナとで構成されるスライドファスナからなる請求項３記載の上掛け具のずれ防止兼カバー具。
【請求項５】
前記着脱手段は、前記アッパーシーツの下辺又は前記帯状片の一側辺に沿って形成された複数のボタン穴と、前記帯状片の一側辺又は前記アッパーシーツの下辺に沿って取付けられ、前記複数のボタン穴に着脱可能に係合する複数のボタンとからなる請求項３記載の上掛け具のずれ防止兼カバー具。
【発明の詳細な説明】
【技術分野】
【０００１】
本発明は、就寝時に、掛け布団や毛布等の上掛け具が、敷き布団やベッドのマットレス等の敷き具に対してずれることを防止すると共に、上掛け具をカバーすることができる、上掛け具のずれ防止兼カバー具に関する。
【背景技術】
【０００２】
敷き布団やベッドのマットレス等の敷き具と、掛け布団、毛布、タオルケット等の上掛け具とからなる寝具は、就寝時の寝返りや寝相によって、上掛け具が引張られたり、めくれたり、丸まったりして、敷き具に対して上掛け具が位置ずれしてしまうことが多く、寝冷えや安眠の妨げとなるという問題があった。
【０００３】
このような上掛け具の位置ずれを防止するために、様々なものが提案されている。例えば、下記特許文献１には、掛布団の上面側に載置される上掛けであって、前記掛布団の首側の下面に折り込まれる首側折込部と、敷布団の足側の下面に折り込まれる足側折込部とを有する、上掛けが記載されている。この上掛けを実際に使用する場合には、掛布団の上面に上掛けを被せた後、首側折折込部を折り返して、掛布団の首側の下面に折り込むと共に、足側折込部を折り返して、敷布団の足側の下面に折込むことで、上掛けを介して、掛布団の位置ずれが抑制されるようになっている。
【０００４】
また、下記特許文献２には、掛け布団の足下部から帯状部が延設されると共に、敷き布団の足下部から帯状部が延設され、両帯状部にそれぞれ着脱可能な面ファスナが形成された、就寝中のズレ防止用布団が記載されている。そして、面ファスナで両帯状部を互いに貼着し、両帯状部を一対の押さえ板で挟み込んだ後、接合凸部と接合凹部とを有する複数のフックで押さえ板どうしを固定することで、掛け布団を敷き布団に固定するようになっている。
【０００５】
更に下記特許文献３には、掛け布団カバーの両側辺にファスナが取付けられていると共に、敷き布団カバーの両側辺にもファスナが取付けられて、両ファスナを互いに接合することにより、掛け布団カバーの両側が敷き布団カバーに取付けられるように構成された、布団カバーが記載されている。
【先行技術文献】
【特許文献】
【０００６】
【特許文献１】実用新案登録第３０５３６６４号公報
【特許文献２】実用新案登録第３１５３５３３号公報
【特許文献３】特開２００６−１９８３８２号公報
【発明の概要】
【発明が解決しようとする課題】
【０００７】
上記特許文献１に記載の発明では、敷き布団の足側の下面に、上掛けの足側折込部が折り込まれているが、この上掛けは、綿織物や、絹、ウール等の柔軟な素材から形成されているので、就寝時の寝返り等によって、掛け布団が強く引張られたりした場合には、敷き布団の下面から、上掛けの足側折込部が引き抜かれてしまう虞れがあり、掛布団の位置ずれを防止できないことがあった。
【０００８】
また、衛生的な観点から、掛け布団には布団カバーが装着され、この布団カバーを定期的に洗濯することが行われている。しかし、前記上掛けは、掛け布団の上面に被せられており、掛け布団の下面を覆うものではないので、カバー代わりとして利用することはできず、また、カバーを掛け布団に装着する必要があり煩雑であった。
【０００９】
一方、上記特許文献２に記載の発明では、敷き布団及び掛け布団の各帯状部を、一対の押さえ板で挟み込むことで、敷き布団に掛け布団が固定されるようになっているが、各布団は柔軟で形状が定まりにくく変形しやすいので、就寝時の寝返り等により、掛け布団が引張られたり捲れたりすると、敷き布団も追随して変形し、掛け布団の位置ずれ防止性能が不十分であった。また、帯状部どうし一対の押さえ板で挟み込んで、接合凸部を接合凹部に挿入するように構成されているので、掛け布団の固定作業が煩雑であった。
【００１０】
また、上記特許文献３に記載の発明では、布団カバーどうしをファスナで接合している。しかし、布団カバーは薄地で伸びやすいため、就寝時の寝返り等により、掛け布団が引張られたりすると、掛け布団及び敷き布団のカバーどうしが伸びるので、掛け布団の位置ずれ防止性能が不十分であった。更に、布団カバーに掛け布団や敷き布団を収納する必要があり、手間がかかっていた。
【００１１】
したがって、本発明の目的は、上掛け具の衛生状態を保持しつつ、敷き具に上掛け具を簡単に固定して、敷き具に対する上掛け具の位置ずれを効果的に防止することができると共に、上掛け具を簡単にカバーすることができる、上掛け具のずれ防止兼カバー具を提供することにある。
【課題を解決するための手段】
【００１２】
上記目的を達成するため、本発明の上掛け具のずれ防止兼カバー具は、上掛け具が敷き具に対してずれるのを防止すると共に、上掛け具をカバーして汚れを防止するものであって、敷き具と上掛け具の間に配置されるアッパーシーツと、前記敷き具の下面又は間に挟み込まれると共に、このアッパーシーツの下辺部に着脱可能に取付けられる固定板とを備え、前記アッパーシーツは、前記上掛け具の上辺部で折り返されて、前記上掛け具の外側に被せることが可能な長さとされていることを特徴とする。
【００１３】
上記発明によれば、アッパーシーツの下辺部に取付けられた固定板を、敷き具の下面又は間に挟み込んで固定し、アッパーシーツを敷き具の上に載せた状態で上掛け具をアッパーシーツの上に載せ、アッパーシーツの上部を上掛け具の上辺部で折り返して上掛け具の外側に被せる。その結果、アッパーシーツの下辺部が固定板を介して敷き具の下辺部に固定され、また、アッパーシーツの下辺部と敷き具との下辺部との間が、密封状態に保持されるので、足元側から上掛け具の内側や上縁部が覆われて、上掛け具の汚れを防ぐことができると共に、寝返り等をうっても、上掛け具が敷き具に対してずれるのを抑制することができる。また、上掛け具が敷き具に対してずれても、アッパーシーツを上辺部側に引っ張ることにより、上掛け具のずれを容易に是正することができる。
【００１４】
更に、アッパーシーツの折り返し部が、上掛け具の上辺部で折り返されて、その外側に被せられているだけなので、上掛け具に対するアッパーシーツのセッティング作業が簡単で、アッパーシーツの交換作業も容易に行うことができる。
【００１５】
本発明の上掛け具のずれ防止兼カバー具においては、前記アッパーシーツの下辺部に所定の大きさのポケットが形成されており、このポケットに固定板が着脱可能に挿入されて保持されることが好ましい。
【００１６】
これによれば、固定板をポケットに挿入しあるいはポケットから取出すだけで、固定板をアッパーシーツに容易に着脱することができ、アッパーシーツの洗濯時等に固定板を容易に取外し、また取付けることができる。
【００１７】
本発明の上掛け具のずれ防止兼カバー具においては、前記アッパーシーツの下辺部には、前記固定板が装着された帯状片が着脱手段を介して着脱可能に取付けられていることが好ましい。
【００１８】
これによれば、アッパーシーツの下辺部に着脱手段を介して帯状片が取付けられ、この帯状片に固定板が装着されているので、アッパーシーツの洗濯時等に着脱手段によって帯状片及び固定板を容易に着脱することができる。
【００１９】
本発明の上掛け具のずれ防止兼カバー具においては、前記着脱手段は、前記アッパーシーツの下辺に沿って取付けられた第１ファスナと、前記帯状片の一側辺に沿って取付けられ、前記第１ファスナに着脱可能に係合する第２ファスナとで構成されるスライドファスナからなることが好ましい。
【００２０】
これによれば、着脱手段がスライドファスナからなるので、帯状片の着脱をよりスムーズにかつ迅速に行えると共に、帯状片をアッパーシーツに対して線状に連結して、アッパーシーツの下辺部をしっかりと固定保持させることができ、上掛け具のずれ防止効果を高めることができる。
【００２１】
本発明の上掛け具のずれ防止兼カバー具においては、前記着脱手段は、前記アッパーシーツの下辺又は前記帯状片の一側辺に沿って形成された複数のボタン穴と、前記帯状片の一側辺又は前記アッパーシーツの下辺に沿って取付けられ、前記複数のボタン穴に着脱可能に係合する複数のボタンとからなることが好ましい。
【００２２】
これによれば、着脱手段がボタン穴及びこれに係合するボタンからなるので、比較的簡単な構造とすることができる。
【００２３】
本発明の上掛け具のずれ防止兼カバー具においては、前記アッパーシーツの上掛け具に接する面であって、折り返される部分の近傍に位置する部分に、前記敷き具に対するアッパーシーツの位置決め、又は、アッパーシーツに対する前記上掛け具の位置決めのためのマーカーが付されていることが好ましい。
【００２４】
上記発明によれば、アッパーシーツを敷き具上に載せる際に、アッパーシーツに付されたマーカーを見ながら敷き具に対する位置決めを行うことにより、アッパーシーツの中央が敷き具の中央に位置するようにセットすることができる。
【発明の効果】
【００２５】
本発明によれば、アッパーシーツで足元から上掛け具の内側や上縁部を覆うことで、上掛け具の汚れを防ぐことができ、カバーとして利用することができる。また、アッパーシーツの折り返し部が上掛け具の上辺部で折り返されているだけなので、上掛け具に対するアッパーシーツのセッティング作業が簡単で、アッパーシーツの交換作業も容易に行うことができる。
【００２６】
また、アッパーシーツの下辺部が固定板を介して敷き具の下辺部に固定されているので、寝返り等をうっても、上掛け具が敷き具に対してずれるのを抑制することができると共に、アッパーシーツのセッティングやベッドメイキングを容易に行うことができる。更に、上掛け具が敷き具に対してずれても、アッパーシーツを上辺部側に引っ張ることにより、上掛け具のずれを容易に是正することができる。
【図面の簡単な説明】
【００２７】
【図１】本発明の上掛け具のずれ防止兼カバー具の第１実施形態を示す斜視図である。
【図２】同上掛け具のずれ防止兼カバー具の側面図である。
【図３】同上掛け具のずれ防止兼カバー具において、帯状片に設けられたポケットの一形態を示す説明図である。
【図４】同上掛け具のずれ防止兼カバー具において、帯状片の他形態を示す説明図である。
【図５】同上掛け具のずれ防止兼カバー具の平面図である。
【図６】同上掛け具のずれ防止兼カバー具の使用方法を示しており、その第１工程を示す説明図である。
【図７】同上掛け具のずれ防止兼カバー具の使用方法を示しており、その第２工程を示す説明図である。
【図８】同上掛け具のずれ防止兼カバー具の使用方法を示しており、その第３工程を示す説明図である。
【図９】同上掛け具のずれ防止兼カバー具の使用方法を示しており、その第４工程を示す説明図である。
【図１０】同上掛け具のずれ防止兼カバー具の使用方法を示しており、その第５工程を示す説明図である。
【図１１】同上掛け具のずれ防止兼カバー具において、帯状片に設けられたポケットの他の形態を示す説明図である。
【図１２】同上掛け具のずれ防止兼カバー具において、帯状片に設けられたポケットの更に他の形態を示す説明図である。
【図１３】本発明の上掛け具のずれ防止兼カバー具の第２実施形態を示す斜視図である。
【図１４】同上掛け具のずれ防止兼カバー具の側面図である。
【図１５】同上掛け具のずれ防止兼カバー具を構成する帯状片の構造を示しており、（ａ）はその平面図、（ｂ）は側面図である。
【図１６】本発明の上掛け具のずれ防止兼カバー具の第３実施形態を示す斜視図である。
【図１７】同上掛け具のずれ防止兼カバー具の側面図である。
【図１８】同上掛け具のずれ防止兼カバー具を構成する帯状片の構造を示しており、（ａ）はその平面図、（ｂ）は側面図である。
【発明を実施するための形態】
【００２８】
以下、図１〜１２を参照して、本発明における上掛け具のずれ防止兼カバー具の第１実施形態について説明する。
【００２９】
図１及び図２に示すように、この上掛け具のずれ防止兼カバー具（以下、「ずれ防止兼カバー具」という）は、敷き具２０と上掛け具１０との間に配置され、使用者の身体の上に覆い被さる、いわゆるアッパーシーツ３０（トップシーツともいう）を利用して、敷き具２０に対する上掛け具１０の位置ずれを防止すると共に、上掛け具１０をカバーして汚れを防止するものである。
【００３０】
この実施形態の場合、前記敷き具２０は、畳やフローリング、ベッド等の上に載置されるマットレス２２と、このマットレス２２の上に載置される敷き布団２４とから構成されている。なお、敷き具２０としては、これ以外にも、シーツ、パッド等を採用することができる。一方、上掛け具１０としては、肌掛け布団、掛け布団、毛布、タオルケット等を採用することができる。なお、図１〜１２に示す実施形態における上掛け具１０は、肌掛け布団、毛布、タオルケット等である。ただし、これらの上に、厚手の掛け布団等を載せてもよい。
【００３１】
そして、このずれ防止兼カバー具は、アッパーシーツ３０と、このアッパーシーツ３０の下辺部３２（足下側）に着脱可能に取付けられると共に、前記敷き具２０の下面又は間に挟み込まれる固定板５０とを備えている。
【００３２】
この実施形態におけるアッパーシーツ３０は、その幅が、前記上掛け具１０の幅よりも大きく形成されていると共に（図１参照）、その長さが、上掛け具１０の長さよりも大きく形成されていて、上辺側（頭部側）の部分が、上掛け具１０の上辺部で折り返されて、上掛け具１０の外側に被せることが可能な長さとされている（図１及び図２参照）。
【００３３】
このアッパーシーツ３０の材質としては、前記上掛け具１０のずれ防止効果及び汚れ防止効果を果たしうると共に、シーツ形状を形成できるものとして、綿、麻、シルク、ウール等の天然紡織生地や、ポリエステル、Ｔ／Ｃ（綿とポリエステルの混紡）、アクリル等の合成・混合紡織生地、また、フェルト、不織布とうの繊維の絡み合いや接着等による集合体製品生地、更には、パイル加工、起毛加工、抗菌加工、衛生加工等の加工を施した生地などを採用することができる。また、複数の生地を、キルティング加工、ボンディング加工、コーティング加工等により、強度の向上や風合いの改善を施した、複合加工生地を使用してもよい。
【００３４】
アッパーシーツ３０の、上掛け具１０の上辺部で折り返された部分３４（以下、「折り返し部３４」という）は、図２に示すように、その長さＬが１００〜１０００ｍｍとされていることが好ましく、２００〜６００ｍｍであることがより好ましい。折り返し部３４の長さＬが１００ｍｍ未満であると、上掛け具１０の上辺部から折り返し部３４が位置ずれしやすくなると共に、上掛け具１０の上辺部の外側が汚れやすくなる。一方、折り返し部３４の長さＬが１０００ｍｍを超えると、無駄な部分が多く製造コストが増大する。
【００３５】
更に、折り返し部３４の形状安定のため、折り返し部３４を、共布や、テープ、リボン、別布、バイアステープ等を使用して、包み込むようにしてバインディング加工を施したり、前記アッパーシーツ３０とは異なる材質のもので形成したりしてもよい。
【００３６】
また、図５に示すように、アッパーシーツ３０の上掛け具１０に接する面（上面）であって、折り返し部３４の近傍には、その幅方向中央部及び幅方向両側部に、マーカー３６及びマーカ−３８，３８が、アッパーシーツ３０の長さ方向に沿って所定長さで設けられていると共に、マーカー３９がアッパーシーツ３０の幅方向に沿って設けられている。前記マーカー３６，３８，３８は、敷き具２０の上にアッパーシーツ３０を敷くときの位置決めとなり、前記マーカー３９は、アッパーシーツ３０の上に上掛け具１０を載置するときの位置決めとなる。ただし、前記マーカー３６，３８，３８を省略して、アッパーシーツ３０の上面を無地のままとしても、実用上の支障はない。
【００３７】
なお、アッパーシーツ３０の折り返し部３４を上掛け具１０に被せたとき（図１及び図２参照）、折り返し部３４の外側となる面には、模様や図柄等を施しておくこともできる。
【００３８】
また、アッパーシーツ３０の下辺部３２には、所定幅の帯状片４０が取付けられている。図３に示すように、この実施形態における帯状片４０は、アッパーシーツ３０の下辺部３２の幅よりも短い幅とされており、その一側辺が縫合糸により、アッパーシーツ３０の下辺部３２の、敷き具２０に接する面（下面）に縫合されて取付けられている。なお、帯状片４０は、接着剤等でアッパーシーツ３０の下辺部３２に取付けてもよく、取付方法は特に限定されない。また、別体の帯状片４０をアッパーシーツ３０の下辺部３２に取付けるのではなく、図４に示すように、一枚の生地を用いて、アッパーシーツ３０の下辺部３２に帯状片４０を一体的に形成してもよい。
【００３９】
更に前記帯状片４０には、固定板５０を着脱可能に収容するポケット４１が設けられている。この実施形態では図３に示すように、帯状片４０の幅方向に沿って、袋状のポケット４１が複数（ここでは３つ）設けられている。また、各ポケット４１の開口部４１ａは、アッパーシーツ３０の下辺部３２側に向けて配置されており、この開口部４１ａを通して固定板５０が挿入され或いは取出されて、ポケット４１に固定板５０が着脱可能とされてる。
【００４０】
なお、ポケットとしては図１１及び図１２に示す形態であってもよい。図１１に示す形態では、帯状片４０に一対のポケット４３，４３が設けられており、各開口部４３ａは、帯状片４０の幅方向両側に向けて配置されている。そして、固定板５０は、帯状片４０の両側部から開口部４３ａを通して、ポケット４３に着脱可能とされている。
【００４１】
図１２に示す形態では、図１１に示す形態と同様に、帯状片４０に一対のポケット４５，４５が設けられているが、その開口部４５ａは、帯状片４０の幅方向中央部に向けて配置されている。したがって、固定板５０は、帯状片４０の幅方向中央から開口部４５ａに斜めに挿入されて、ポケット４５に収容されるようになっている（図１２参照）。
【００４２】
上記固定板５０は、例えば、アクリル樹脂、ポリアセタール、ポリアミド、ポリカーボネート等の合成樹脂や、合板（いわゆるベニヤ板）、パーティクルボード、ファイバーボード等の木質ボードや、アルミニウムや、ステンレス等の金属板、更には、厚紙などから形成されており、少なくとも前記上掛け具１０よりも剛性が高いものが用いられるようになっている。また、固定板５０の厚さとしては、１〜２０ｍｍであることが好ましく、２〜１０ｍｍであることがより好ましい。なお、固定板５０の４つの角部は、円弧状に丸みを帯びた形状をなしていることが好ましい。
【００４３】
次に、上記実施形態のずれ防止兼カバー具の使用方法について説明する。
【００４４】
なお、以下の説明においては、敷き具２０は、畳やフローリング等の上に直接敷かれているものとする。
【００４５】
まず、折り畳まれたアッパーシーツ３０（図６参照）の、下辺部３２に取付けられた帯状片４０を広げ、開口部４１ａを通して複数のポケット４１に固定板５０をそれぞれ収容する。
【００４６】
次いで図６に示すように、敷き具２０の下面に、帯状片４０のポケット４１に収容された固定板５０を差し込んで、畳やフローリング等と敷き具２０との間に、固定板５０を挟み込むことにより（図７参照）、アッパーシーツ３０の下辺部３２が固定板５０を介して敷き具２０の下辺部に固定される。
【００４７】
なお、この実施形態では、敷き具２０と畳やフローリング等との間で固定板５０を固定するようにしているが、マットレス２２と敷き布団２４との間に、固定板５０を挟み込むようにしてもよく、固定板５０をマットレス２２の下面に挿入して、敷き具２０の下面又は複数の敷き具２０の間に挟み込んで、固定板５０を固定できればよい。
【００４８】
そして、図８に示すように、折り畳まれたアッパーシーツ３０を、敷き具２０の上面に沿って広げ、その折り返し部３４を、敷き具２０の上辺部の外方に配置する。このとき、アッパーシーツ３０の上面に設けられたマーカー３６，３８，３８を見ながら、敷き具２０に対してアッパーシーツ３０を正確に位置決めすることができる。
【００４９】
また、この実施形態では、帯状片４０がアッパーシーツ３０の下辺部３２の下面側に取付けられていると共に、この帯状片４０に設けられたポケット４１の開口部４１ａが、アッパーシーツ３０の下辺部３２側に向けて配置されている。その結果、図８に示すように、ポケット４１の開口部４１ａをアッパーシーツ３０の内周側に配置して、アッパーシーツ３０で覆うことにより、固定板５０がポケット４１から抜け出てしまうことを防止することができる。
【００５０】
次いでアッパーシーツ３０の下辺部３２の上に、折り畳まれた上掛け具１０の下辺部を載せて、アッパーシーツ３０の上面に設けられたマーカー３９を見ながら、アッパーシーツ３０を引張る等して、アッパーシーツ３０の上辺部に対して、上掛け具１０の上辺部が整合するように位置決めし、その後、図８の矢印に示すように、アッパーシーツ３０の上辺部に上掛け具１０の上辺部を載せる。
【００５１】
このように本実施形態では、アッパーシーツ３０に位置決め用のマーカー３６，３８，３８，３９を設けたので、アッパーシーツ３０を、敷き具２０や、上掛け具１０に対して、位置ずれなく正確に配置することができ、簡単かつ見栄え良く寝具を整えることができる。
【００５２】
また、アッパーシーツ３０の上に上掛け具１０を載せたものの、それらが位置ずれしていた場合には、上掛け具１０を持ち上げた後、アッパーシーツ３０を引張る等して、アッパーシーツ３０と、敷き具２０及び上掛け具１０との位置ずれを直すことができる。
【００５３】
上記のようにアッパーシーツ３０の上に上掛け具１０をセットした後、アッパーシーツ３０の折り返し部３４を上掛け具１０の上辺部で折り返すことにより、図９に示すように、折り返し部３４が上掛け具１０の外側に被せられて、寝具のセッティングが完了する。
【００５４】
そして、ユーザーは、図１０に示すように、下辺部３２が固定板５０を介して敷き具２０の下辺部に固定されたアッパーシーツ３０と、敷き具２０との間に潜り込んで、眠りに就くことになる。本発明による、ずれ防止兼カバー具を使用しないときは、ユーザーは就寝時に寝返りをうったり、寝相が悪かったりすると、上掛け具１０が引張られたり、めくれたりすることがある。
【００５５】
これに対して、このずれ防止兼カバー具においては、図１、図２及び図１０に示すように、アッパーシーツ３０の下辺部３２が、固定板５０を介して敷き具２０の下辺部に固定されることにより、アッパーシーツ３０の上に載置された上掛け具１０の下辺部が、敷き具２０に対して動かないように保持されると共に、アッパーシーツ３０の上辺側の折り返し部３４が、上掛け具１０の上辺部で折り返されて、上掛け具１０の外側に所定の長さＬ（図２参照）で被せられていることにより、上掛け具１０の上辺部が、アッパーシーツ３０の折り返し部３４により保持されて、上掛け具１０の下辺部及び上辺部が保持されるようになっているので、上掛け具１０の敷き具２０に対する位置ずれを効果的に抑制することができる。
【００５６】
また、就寝中に上掛け具１０が乱れたり、ずれたりしたことに気付いた場合には、アッパーシーツ３０の上辺部を引張ることによって、アッパーシーツ３０をピシッと伸ばすことができ、それと共にアッパーシーツ３０の上に載置された上掛け具１０の乱れやずれを直すことができる。
【００５７】
更に、アッパーシーツ３０は、敷き具２０と上掛け具１０との間に配置されているので、上掛け具１０の内側を覆って、その部分の汚れを防ぐことができると共に、アッパーシーツ３０の折り返し部３４が、上掛け具１０の上辺部で折り返され、その外側に被せられているので、上掛け具１０の上辺部外周を覆って、その部分の汚れを防ぐことができ、アッパーシーツ３０を布団カバーの代わりとして利用することができ、その結果、袋状の布団カバー等に上掛け具１０を収容する手間が必要なくなり、寝具のセッティングを簡単かつスムーズに行うことができる。
【００５８】
また、アッパーシーツ３０を交換して洗濯を行いたい場合には、敷き具２０と畳やフローリング等との間から帯状片４０を引き抜き、この帯状片４０に設けられた各ポケット４１から固定板５０をそれぞれ取出すことで、アッパーシーツ３０だけを残すことができるので、洗濯作業を簡単に行うことができる。
【００５９】
更にこの実施形態では、帯状片４０にポケット４１を設けて、このポケット４１に固定板５０を挿入し或いは取出すことで、アッパーシーツ３０に対して固定板５０が着脱可能とされているので、ずれ防止を簡単な構造で効果的に行うことができると共に、アッパーシーツ３０のセッティング作業及び洗濯作業を容易に行うことができる。特に、毎日大量のアッパーシーツを洗濯したり、アッパーシーツを用いて寝具のセッティングやベッドメーキングを行ったりすることの多い、旅館やホテル等で有効に活用することができる。
【００６０】
なお、以上の説明では、シングルサイズの敷き具２０に、ずれ防止装置を適用した例について説明したが、このずれ防止装置を、幅の広いダブルサイズの敷き具に適用する場合には、幅広の敷き具の幅に合わせて、アッパーシーツ３０や、帯状片４０、固定板５０を幅広に形成するか、或いは、シングルサイズのものを２つ並べて、敷き具の長さに合わせてもよく、使用態様に応じて適宜用いることができる。
【００６１】
図１３〜１５には、本発明のずれ防止兼カバー具の第２実施形態が示されている。前記実施形態と実質的に同一部分には同符号を付してその説明を省略する。
【００６２】
この第２実施形態のずれ防止兼カバー具は、アッパーシーツ３０の下辺部３２に、固定板５０が収容された帯状片４０が、着脱手段を介して着脱可能に取付けられた構造をなしている。
【００６３】
すなわち、アッパーシーツ３０の下辺部３２の幅方向周縁に沿って、直線状に配置された複数のエレメントを有する第１ファスナ５１が、アッパーシーツ３０の幅よりも若干短い長さで取付けられている。
【００６４】
また、帯状片４０の一側辺に沿って、前記第１ファスナ５１に着脱可能に係合する第２ファスナ５２が取付けられている。この第２ファスナ５２は、前記第１ファスナ５１と同様に、複数のエレメントが直線状に設けられていると共に、スライダ５３がスライド可能に装着されている（図１５（ａ）参照）。
【００６５】
そして、上記の第１ファスナ５１と第２ファスナ５２とが、アッパーシーツ３０の下辺部３２に帯状片４０を着脱可能に取付けるための着脱手段である、スライドファスナをなしている。
【００６６】
なお、このスライドファスナの構造としては特に限定されるものではなく、例えば、引き手がスライダ５３の表裏両側に反転移動するものや、スライダ５３の表裏両側にそれぞれ引き手を備えたもの等の、表裏両側からスライダ５３を操作可能なものであってもよい。また、スライダ５３が第１ファスナ５１側に装着されていてもよい。
【００６７】
更に、この第２実施形態における帯状片４０には、その内部に複数の固定板５０が収容されていると共に、固定板５０の周囲が縫合されており、固定板５０が帯状片４０内で大きく動かないように構成されている。
【００６８】
そして、この第２実施形態のずれ防止兼カバー具を使用する際には、図１５（ａ）に示すように、第１ファスナ５１と第２ファスナ５２とを整合させると共に、スライダ５３をスライド操作することで、第１ファスナ５１及び第２ファスナ５２のエレメントどうしが互いに係合し又は分離して、アッパーシーツ３０の下辺部３２に帯状片４０に着脱可能に取付けることができる（図１５（ｂ）参照）。その後、上記第１実施形態のずれ防止装置と同様の作業を行うことで、図１３及び図１４に示すように寝具がセッティングされ、アッパーシーツを利用して、上掛け具１０の敷き具２０に対する位置ずれを防止することができる。
【００６９】
なお、図１４に示すように、この第２実施形態においては、上掛け具１０の上に、掛け布団等の厚手の上掛け具１２が載置され、アッパーシーツ３０の折り返し部３４が、上掛け具１０と上掛け具１２とで挟み込まれるようになっている。
【００７０】
また、この第２実施形態では、第１ファスナ５１及び第２ファスナ５２どうしが線状に連結されていて、アッパーシーツ３０の下辺部３２を、固定板５０を介して敷き具２０にしっかりと固定することができるので、上掛け具１０が引張られたり、めくれたりして、就寝前の初期位置から位置ずれしそうになっても、敷き具２０に対する上掛け具１０の保持効果が、固定板５０を通じて上掛け具１０の全体に面状に広がり、上掛け具１０の位置ずれを効果的に防止することができる。
【００７１】
更に、アッパーシーツ３０の下辺部３２に、固定板５０が収容された帯状片４０を着脱させるための着脱手段として、第１ファスナ５１及び第２ファスナ５２からなるスライドファスナを採用したので、両ファスナ５１，５２をスライダ５３で係合させ又は分離させるだけの簡単な作業で、アッパーシーツ３０の下辺部３２に固定板５０をスムーズにかつ迅速に着脱させることができる。
【００７２】
図１６〜１８には、本発明のずれ防止兼カバー具の第３実施形態が示されている。前記実施形態と実質的に同一部分には同符号を付してその説明を省略する。
【００７３】
この第３実施形態のずれ防止兼カバー具は、前記第２実施形態と同様に、アッパーシーツ３０の下辺部３２に帯状片４０が着脱手段を介して着脱可能とされているが、第２実施形態とは着脱手段が異なっている。
【００７４】
すなわち、この第３実施形態における着脱手段は、図１８（ａ）に示すように、アッパーシーツ３０の下辺部３２の幅方向周縁に沿って、所定間隔をあけて形成された複数のボタン穴５５と、帯状片４０の一側辺に沿って形成され、前記複数のボタン穴５５に着脱可能に係合する複数のボタン５６とから構成されている。
【００７５】
また、図１８（ａ）に示すように、ボタン穴５５は略楕円形状をなしているが、その長軸方向がアッパーシーツ３０の長手方向に沿って平行となるように、アッパーシーツ３０にボタン穴が形成されている。
【００７６】
なお、前記ボタン穴５５を帯状片４０側に形成し、前記ボタン５６をアッパーシーツ３０の下辺部３２側に形成してもよいが、図１８（ａ）に示すように、アッパーシーツ３０の下辺部３２側にボタン穴５５を形成し、帯状片４０側にボタン５６を形成することが好ましい。
【００７７】
更に、前記ボタン穴５５及び前記ボタン５６は、ずれ防止装置を、幅が１０００ｍｍ程度のシングルサイズの寝具に用いる場合には、４〜７個であることが好ましく、同ずれ防止装置を、幅が１２００ｍｍ程度のセミダブルサイズの寝具に用いる場合には、６〜１０個であることが好ましい。なお、幅が２０００ｍｍ程度のダブルサイズの寝具に、ずれ防止装置を適用する場合には、シングルサイズのものを２つ並べて利用することが好ましい。
【００７８】
そして、この第３実施形態のずれ防止兼カバー具を使用する際には、複数のボタン穴５５に複数のボタン５６をそれぞれ係合させ又は取外すことで、アッパーシーツ３０の下辺部３２に帯状片４０に着脱可能に取付けることができる（図１８参照）。その後、上記第１実施形態のずれ防止兼カバー具と同様の作業を行うことで、図１６及び図１７に示すように寝具がセッティングされ、アッパーシーツ３０を利用して、上掛け具１０の敷き具２０に対する位置ずれを防止することができる。
【００７９】
この第３実施形態では、アッパーシーツ３０の下辺部３２に、固定板５０が収容された帯状片４０を着脱させるために、ボタン穴５５及びこれに係合するボタン５６からなる着脱手段を用いたので、第１実施形態及び第２実施形態に比べて、簡単な構造とすることができる。
【００８０】
また、図１８（ａ）に示すように、剛性の高い固定板５０が収容された帯状片４０にボタン５６が形成されているので、アッパーシーツ３０を強く引張った場合でも、ボタン５６とボタン５６との間の部分Ｓ（図１６参照）が変形しにくくなり、アッパーシーツ３０の下辺部３２を敷き具２０に強固に固定することができる。なお、アッパーシーツ３０の下辺部３２にボタン５６が形成されている場合にも、アッパーシーツ３０を強く引張った際に、ボタン５６とボタン５６との間の部分が変形しにくくなる。
【００８１】
更に、この実施形態では、交換の必要性のあるアッパーシーツ３０の下辺部３２に、ボタン５６が取付けられておらず、ボタン穴５５が形成されているだけなので、洗濯や折り畳み、アイロン掛け等を容易に行うことができる。
【符号の説明】
【００８２】
１０  上掛け具（薄地のもの）
１２  上掛け具（厚手のもの）
２０  敷き具
２２  マットレス
２４  敷き布団
３０  アッパーシーツ
３２  下辺部
３４  折り返し部
３６，３８，３９  マーカー
４０  帯状片
４１，４３，４５  ポケット
４１ａ，４３ａ，４５ａ  開口部
５０  固定板
５１  第１ファスナ
５２  第２ファスナ
５３  スライダ
５５  ボタン穴
５６  ボタン
【図１】
2013094332.tif 000003
【図２】
2013094332.tif 000004
【図３】
2013094332.tif 000005
【図４】
2013094332.tif 000006
【図５】
2013094332.tif 000007
【図６】
2013094332.tif 000008
【図７】
2013094332.tif 000009
【図８】
2013094332.tif 000010
【図９】
2013094332.tif 000011
【図１０】
2013094332.tif 000012
【図１１】
2013094332.tif 000013
【図１２】
2013094332.tif 000014
【図１３】
2013094332.tif 000015
【図１４】
2013094332.tif 000016
【図１５】
2013094332.tif 000017
【図１６】
2013094332.tif 000018
【図１７】
2013094332.tif 000019
【図１８】
2013094332.tif 000020
【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
上掛け具が敷き具に対してずれるのを防止すると共に、上掛け具をカバーして汚れを防止する、上掛け具のずれ防止兼カバー具であって、
敷き具と上掛け具の間に配置されるアッパーシーツと、
このアッパーシーツの下辺部に帯状片を介して着脱可能に取付けられ、前記敷き具の下面又は間に挟み込まれる固定板とを備え、
前記アッパーシーツは、前記上掛け具の上辺部で折り返されて、前記上掛け具の外側に被せることが可能な長さとされており、
前記固定板は、前記帯状片の内部に、前記アッパーシーツの幅方向に沿って、複数並んで収容されており、
これらの固定板の全体の幅は、前記敷き具の下辺部の幅とほぼ同じ幅とされていることを特徴とする上掛け具のずれ防止兼カバー具。
【請求項２】
前記帯状片に複数のポケットが、前記アッパーシーツの幅方向に沿って、複数並んで形成されており、前記ポケットに前記固定板が着脱可能に挿入されて保持される請求項１記載の上掛け具のずれ防止兼カバー具。
【請求項３】
前記アッパーシーツの下辺部に、前記固定板が装着された帯状片が着脱手段を介して着脱可能に取付けられている請求項１記載の上掛け具のずれ防止兼カバー具。
【請求項４】
前記着脱手段は、前記アッパーシーツの下辺に沿って取付けられた第１ファスナと、前記帯状片の一側辺に沿って取付けられ、前記第１ファスナに着脱可能に係合する第２ファスナとで構成されるスライドファスナからなる請求項３記載の上掛け具のずれ防止兼カバー具。
【請求項５】
前記着脱手段は、前記アッパーシーツの下辺又は前記帯状片の一側辺に沿って形成された複数のボタン穴と、前記帯状片の一側辺又は前記アッパーシーツの下辺に沿って取付けられ、前記複数のボタン穴に着脱可能に係合する複数のボタンとからなる請求項３記載の上掛け具のずれ防止兼カバー具。
【手続補正２】
【補正対象書類名】明細書
【補正対象項目名】００１２
【補正方法】変更
【補正の内容】
【００１２】
上記目的を達成するため、本発明の上掛け具のずれ防止兼カバー具は、上掛け具が敷き具に対してずれるのを防止すると共に、上掛け具をカバーして汚れを防止する、上掛け具のずれ防止兼カバー具であって、敷き具と上掛け具の間に配置されるアッパーシーツと、このアッパーシーツの下辺部に帯状片を介して着脱可能に取付けられ、前記敷き具の下面又は間に挟み込まれる固定板とを備え、前記アッパーシーツは、前記上掛け具の上辺部で折り返されて、前記上掛け具の外側に被せることが可能な長さとされており、前記固定板は、前記帯状片の内部に、前記アッパーシーツの幅方向に沿って、複数並んで収容されており、これらの固定板の全体の幅は、前記敷き具の下辺部の幅とほぼ同じ幅とされていることを特徴とする。
【手続補正３】
【補正対象書類名】明細書
【補正対象項目名】００１５
【補正方法】変更
【補正の内容】
【００１５】
本発明の上掛け具のずれ防止兼カバー具においては、前記帯状片に複数のポケットが、前記アッパーシーツの幅方向に沿って、複数並んで形成されており、前記ポケットに前記固定板が着脱可能に挿入されて保持されることが好ましい。
【手続補正４】
【補正対象書類名】明細書
【補正対象項目名】００１７
【補正方法】変更
【補正の内容】
【００１７】
本発明の上掛け具のずれ防止兼カバー具においては、前記アッパーシーツの下辺部に、前記固定板が装着された帯状片が着脱手段を介して着脱可能に取付けられていることが好ましい。